(57)【要約】【課題】キャリアアグリゲーション時に、適切にイベントを判定しつつ、Ｍｅａｓｕｒｅｍｅｎｔ  Ｒｅｐｏｒｔの数を低減する。【解決手段】本発明に係る移動局ＵＥは、２つ以上のＣＣから、選択条件を満たすＣＣを、Ｍｅａｓｕｒｅｍｅｎｔ  Ｒｅｆｅｒｅｎｃｅ  ＣＣとして選択するＭｅａｓｕｒｅｍｅｎｔ  Ｒｅｆｅｒｅｎｃｅ  ＣＣ選択部１０４と、Ｍｅａｓｕｒｅｍｅｎｔ  Ｒｅｆｅｒｅｎｃｅ  ＣＣにおける通信中セル又は隣接セルの無線品質が、所定タイマが起動されている間、所定条件を満たしている場合に、測定結果を無線基地局ｅＮＢに通知すべきであると判定する判定部１０６とを具備し、判定部１０６は、所定タイマが起動されている間に、選択条件を満たすＣＣが変更になった場合であっても、Ｍｅａｓｕｒｅｍｅｎｔ  Ｒｅｆｅｒｅｎｃｅ  ＣＣを変更しない。【選択図】図２
2011223116.tif 000002
【特許請求の範囲】
【請求項１】
２つ以上のキャリアを用いて無線基地局と通信を行うことができる移動局であって、
前記２つ以上のキャリア内の各キャリアに関して、通信中セル又は隣接セルの無線品質を測定するように構成されている測定部と、
前記２つ以上のキャリアから、選択条件を満たすキャリアを、測定用参照キャリアとして選択するように構成されている参照キャリア選択部と、
前記測定用参照キャリアにおける前記通信中セル又は隣接セルの無線品質が、所定タイマが起動されている間、所定条件を満たしている場合に、前記測定部における測定結果を前記無線基地局に通知するべきであると判定するように構成されている判定部と、
前記判定部が、前記測定結果を前記無線基地局に通知するべきであると判定した場合に、該測定結果を前記無線基地局に送信するように構成されている送信部とを具備し、
前記判定部は、前記所定タイマが起動されている間に、前記選択条件を満たすキャリアが変更になった場合であっても、前記測定用参照キャリアを変更しないように構成されていることを特徴とする移動局。
【請求項２】
２つ以上のキャリアを用いて無線基地局と通信を行うことができる移動局であって、
前記２つ以上のキャリア内の各キャリアに関して、通信中セル又は隣接セルの無線品質を測定するように構成されている測定部と、
前記２つ以上のキャリアから、選択条件を満たすキャリアを、測定用参照キャリアとして選択するように構成されている参照キャリア選択部と、
前記測定用参照キャリアにおける前記通信中セル又は隣接セルの無線品質が、所定タイマが起動されている間、所定条件を満たしている場合に、前記測定部における測定結果を前記無線基地局に通知するべきであると判定するように構成されている判定部と、
前記判定部が、前記測定結果を前記無線基地局に通知するべきであると判定した場合に、該測定結果を前記無線基地局に送信するように構成されている送信部とを具備し、
前記判定部は、前記所定タイマが起動されている間に、前記選択条件を満たすキャリアが変更になった場合に、前記測定用参照キャリアを変更し、かつ、該所定タイマの起動を継続するように構成されていることを特徴とする移動局。
【請求項３】
２つ以上のキャリアを用いて無線基地局と通信を行うことができる移動局であって、
前記２つ以上のキャリア内の各キャリアに関して、通信中セル又は隣接セルの無線品質を測定するように構成されている測定部と、
前記２つ以上のキャリアから、選択条件を満たすキャリアを、測定用参照キャリアとして選択するように構成されている参照キャリア選択部と、
前記測定用参照キャリアにおける前記通信中セル又は隣接セルの無線品質が、所定タイマが起動されている間、所定条件を満たしている場合に、前記測定部における測定結果を前記無線基地局に通知するべきであると判定するように構成されている判定部と、
前記判定部が、前記測定結果を前記無線基地局に通知するべきであると判定した場合に、該測定結果を前記無線基地局に送信するように構成されている送信部とを具備し、
前記判定部は、前記所定タイマが起動されている間に、前記選択条件を満たすキャリアが変更になった場合に、前記測定用参照キャリアを変更し、かつ、該所定タイマリセットするように構成されていることを特徴とする移動局。
【請求項４】
前記参照キャリア選択部は、前記選択条件を満たすキャリアとして、最も無線品質のよいキャリアを選択するように構成されていることを特徴とする請求項１乃至３のいずれか一項に記載の移動局。
【請求項５】
前記判定部は、
前記隣接セルの無線品質が前記通信中セルの無線品質よりも所定オフセット分だけ良くなった場合、
前記通信中セルの無線品質が第１閾値よりも良くなった場合、
前記通信中セルの無線品質が第２閾値よりも悪くなった場合、
前記隣接セルの無線品質が第３閾値よりも良くなった場合、
前記通信中セルの無線品質が第４閾値よりも悪くなり、かつ、前記隣接セルの無線品質が第５閾値よりも良くなった場合、或いは、
前記測定結果が周期的に送信される際の送信タイミングである場合の少なくとも１つの場合に、
前記通信中セル又は隣接セルの無線品質が前記所定条件を満たすと判定するように構成されていることを特徴とする請求項１乃至４のいずれか一項に記載の移動局。
【請求項６】
前記所定タイマは、Ｔｉｍｅ-Ｔｏ-Ｔｒｉｇｇｅｒであることを特徴とする請求項１乃至５のいずれか一項に記載の移動局。
【請求項７】
２つ以上のキャリアを用いて無線基地局と通信を行うことができる移動局における通信制御方法であって、
前記２つ以上のキャリア内の各キャリアに関して、通信中セル又は隣接セルの無線品質を測定する第１ステップと、
前記２つ以上のキャリアから、選択条件を満たすキャリアを、測定用参照キャリアとして選択する第２ステップと、
前記測定用参照キャリアにおける前記通信中セル又は隣接セルの無線品質が、所定タイマが起動されている間、所定条件を満たしている場合に、前記第１ステップにおける測定結果を前記無線基地局に通知するべきであると判定する第３ステップと、
前記第３ステップにおいて、前記測定結果を前記無線基地局に通知するべきであると判定した場合に、該測定結果を前記無線基地局に送信する第４ステップとを有し、
前記第３ステップにおいて、前記所定タイマが起動されている間に、前記選択条件を満たすキャリアが変更になった場合に、前記測定用参照キャリアを変更し、かつ、該所定タイマの起動を継続することを特徴とする通信制御方法。
【発明の詳細な説明】
【技術分野】
【０００１】
本発明は、移動局及び通信制御方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が行われた。
【０００３】
また、ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献１にまとめられている。
【０００４】
ＬＴＥ-ａｄｖａｎｃｅｄ方式では、要求条件として、「キャリアアグリゲーション（Ｃａｒｒｉｅｒ  ａｇｇａｒｅｇａｔｉｏｎ）」を行うことが合意されている。
【０００５】
「キャリアアグリゲーション」が行われる場合、移動局ＵＥは、同時に複数のキャリアを用いて下りリンクの信号を受信したり、同時に複数のキャリアを用いて上りリンクの信号を送信したりすることができる。キャリアアグリゲーションが行われる場合の各キャリアは、コンポーネントキャリア（ＣＣ：Ｃｏｍｐｏｎｅｎｔ  Ｃａｒｒｉｅｒ）と呼ばれる。
【０００６】
ところで、複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００７】
一般的に、移動通信システムでは、移動局ＵＥが、隣接セルに移動し、かかる移動局ＵＥにおいて、隣接セルからの信号の無線品質が、サービングセル（Ｓｅｒｖｉｎｇ  Ｃｅｌｌ）からの信号の無線品質よりも良くなった場合に、移動局ＵＥは、隣接セルにハンドオーバを行うように構成されている。
【０００８】
なお、かかる信号の無線品質として、例えば、信号の受信電力が用いられる。ここで、かかる信号の受信電力は、より具体的には、例えば、隣接セル又はサービングセルから送信される下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）であってもよい（ＲＳＲＰの定義については、非特許文献２及び３を参照）。
【０００９】
なお、かかる信号の無線品質として、ＲＳＲＰの代わりに、下りリンクの参照信号の受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）や、下りリンクの参照信号のＳＩＲ（ＲＳ-ＳＩＲ）や、ＣＱＩ（Ｃｈａｎｎｅｌ  Ｑｕａｌｉｔｙ  Ｉｎｄｉｃａｔｏｒ）や、ＣＳＩ（Ｃｈａｎｎｅｌ  Ｓｔａｔｅ  Ｉｎｆｏｒｍａｔｉｏｎ）等が用いられてもよい。
【００１０】
図９及び図１０を参照して、かかるハンドオーバ手順の一例について、具体的に説明する。以下の説明では、信号の受信電力（ＲＳＲＰ）が、上述の信号の無線品質として用いられる。
【００１１】
図９に示すように、ステップＳ１において、移動局ＵＥは、サービングセル（通信中セル）及び隣接セルからの信号の受信電力を測定する。また、移動局ＵＥは、検知していない隣接セルを検知するために、前記測定と並行して、セルサーチを行ってもよい。本処理における、セルサーチ、及び、サービングセル及び隣接セルの無線品質（受信電力）の測定は、総称して、メジャメント（Ｍｅａｓｕｒｅｍｅｎｔ）と呼ばれてもよい。
【００１２】
ステップＳ２において、移動局ＵＥは、隣接セルからの信号の受信電力が、以下の（式１）を満たすか否かについて判定する。
【００１３】
隣接セルからの信号の受信電力    ＞  サービングセルからの信号の受信電力  ＋  ヒステリシス  …  （式１）
【００１４】
かかる（式１）が満たされていると判定された場合、ステップＳ２において、移動局ＵＥは、上述の測定結果を報告するためのイベントＡ３を、ネットワークに対して通知する。ここで、かかるネットワークとは、具体的には、例えば、無線基地局ｅＮＢである。
【００１５】
具体的には、移動局ＵＥは、図１０に示すように、サービングセル（セルＡ）及び監視対象である周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。なお、周辺セルは、隣接セルと呼ばれてもよい。
【００１６】
つまり、図１０において、所定期間「ＴＴＴ」以上の間、セルＢからの信号の受信電力（無線品質）が、「ヒステリシス」以上、セルＡからの信号の受信電力（無線品質）よりも上回っている状態が継続している場合、移動局ＵＥは、上述の測定結果（ＭＲ：Ｍｅａｓｕｒｅｍｅｎｔ  Ｒｅｐｏｒｔ）を通知するべきであると判定する。
【００１７】
ここで、「ヒステリシス」は、セル境界でサービングセルから隣接セルへのハンドオーバが頻繁に生じないために設けられる値であり、正の値でもよく、負の値でもよいが、一般的には正の値が設定される。
【００１８】
そして、ステップＳ３において、ネットワークは、イベントＡ３の通知を受信すると、かかる移動局ＵＥが受信したイベントＡ３に係るセルに対してハンドオーバすべきであることを決定する。
【００１９】
なお、（式１）は、以下の（式２）のような形が採られる場合もある。（式２）の場合、ヒステリシス及びオフセットの両方が、ヒステリシス的に動作する。
【００２０】
隣接セルからの信号の受信電力  ―  ヒステリシス  ＞  サービングセルからの信号の受信電力  ＋  オフセット  …  （式２）
【００２１】
また、ＬＴＥ方式においては、上述したイベントＡ３に加えて、以下に示すイベントＡ１、イベントＡ２、イベントＡ４、イベントＡ５が定義されている。
【００２２】
例えば、サービングセルからの信号の無線品質が、以下の（式３）を満たす場合に、すなわち、サービングセルからの無線品質が第１閾値よりも大きい場合に、移動局ＵＥは、上述の測定結果を報告するためのイベントＡ１を、ネットワークに対して通知する。
【００２３】
サービングセルからの信号の受信電力    ＞  第１閾値  …  （式３）
【００２４】
ここで、イベントＡ１は、Ｍｅａｓｕｒｅｍｅｎｔ  Ｒｅｐｏｒｔとして、移動局ＵＥから無線基地局ｅＮＢに通知される。
或いは、例えば、サービングセルからの信号の無線品質が、以下の（式４）を満たす場合に、すなわち、サービングセルからの無線品質が第２閾値よりも小さい場合に、移動局ＵＥは、上述の測定結果を報告するためのイベントＡ２を、ネットワークに対して通知する。
【００２５】
サービングセルからの信号の受信電力    ＜  第２閾値  …  （式４）
【００２６】
ここで、イベントＡ２は、Ｍｅａｓｕｒｅｍｅｎｔ  Ｒｅｐｏｒｔとして、移動局ＵＥから無線基地局ｅＮＢに通知される。  
【００２７】
或いは、例えば、隣接セルからの信号の無線品質が、以下の（式５）を満たす場合に、すなわち、隣接セルからの無線品質が第３閾値よりも大きい場合に、移動局ＵＥは、上述の測定結果を報告するためのイベントＡ４を、ネットワークに対して通知する。
【００２８】
隣接セルからの信号の受信電力    ＞  第３閾値  …  （式５）
【００２９】
ここで、イベントＡ４は、Ｍｅａｓｕｒｅｍｅｎｔ  Ｒｅｐｏｒｔとして、移動局ＵＥから無線基地局ｅＮＢに通知される。
【００３０】
或いは、例えば、サービングセルからの信号の無線品質及び隣接セルからの信号の無線品質が、以下の（式６）を満たす場合に、すなわち、サービングセルからの信号の無線品質が第４閾値よりも小さくなり、かつ、隣接セルからの信号の無線品質が第５閾値よりも大きい場合に、移動局ＵＥは、上述の測定結果を報告するためのイベントＡ５を、ネットワークに対して通知する。
【００３１】
サービングセルからの信号の受信電力    ＜  第４閾値  、かつ、
隣接セルからの信号の受信電力    ＞  第５閾値  
…  （式６）
【００３２】
ここで、イベントＡ５は、Ｍｅａｓｕｒｅｍｅｎｔ  Ｒｅｐｏｒｔとして、移動局ＵＥから無線基地局ｅＮＢに通知される。
【００３３】
例えば、イベントＡ１やイベントＡ２は、かかる移動局ＵＥに関して、無線基地局ｅＮＢが、Ｍｅａｓｕｒｅｍｅｎｔ  Ｇａｐの起動や停止のタイミングを決定するために用いられてもよい。
【００３４】
キャリアアグリゲーションを行う場合、一般に、移動局ＵＥは、各ＣＣに関して、上述したサービングセル及び隣接セルからの信号の受信電力の測定や、イベントの判定や、Ｍｅａｓｕｒｅｍｅｎｔ  Ｒｅｐｏｒｔの送信を行う。
【００３５】
ここで、キャリアアグリゲーションを行う場合に、各ＣＣに関して、上述したサービングセル及び隣接セルからの信号の受信電力の測定や、イベントの判定や、Ｍｅａｓｕｒｅｍｅｎｔ  Ｒｅｐｏｒｔの送信を行う場合、Ｍｅａｓｕｒｅｍｅｎｔ  Ｒｅｐｏｒｔの数が、ＣＣの数の分だけ増大するという問題が存在する。
【００３６】
かかる問題を解決するため、複数のＣＣの内、測定用参照キャリアであるＭｅａｓｕｒｅｍｅｎｔ  Ｒｅｆｅｒｅｎｃｅ  Ｃａｒｒｉｅｒを定義し、かかるＭｅａｓｕｒｅｍｅｎｔ  Ｒｅｆｅｒｅｎｃｅ  Ｃａｒｒｉｅｒを用いて、上述したイベントの判定を行うことが提案されている（非特許文献４参照）。
【００３７】
例えば、かかる提案においては、複数のＣＣの内、最も無線品質が良いＣＣを、Ｍｅａｓｕｒｅｍｅｎｔ  Ｒｅｆｅｒｅｎｃｅ  Ｃｏｍｐｏｎｅｎｔ  Ｃａｒｒｉｅｒ（ＣＣ）とすることが提案されている。
【００３８】
或いは、逆に、複数のＣＣの内、最も無線品質が悪いＣＣを、Ｍｅａｓｕｒｅｍｅｎｔ  Ｒｅｆｅｒｅｎｃｅ  Ｃｏｍｐｏｎｅｎｔ  Ｃａｒｒｉｅｒ（ＣＣ）と定義されてもよい。
【００３９】
Ｍｅａｓｕｒｅｍｅｎｔ  Ｒｅｆｅｒｅｎｃｅ  ＣＣを用いたイベントＡ３の判定に関して、図１１及び図１２を用いて説明する。
【００４０】
図１１及び図１２においては、移動局ＵＥは、ＣＣ＃１（セル＃１-Ａ）及びＣＣ＃２（セル＃１-Ｂ）を用いてキャリアアグリゲーションを行っている状態から、キャリア＃３（セル＃２-Ｃ）を用いて通信を行う状態に遷移するように、イベントＡ３を使って異周波ハンドオーバを行う。
【００４１】
図１１の場合、Ｍｅａｓｕｒｅｍｅｎｔ  Ｒｅｆｅｒｅｎｃｅ  ＣＣが用いられないため、ＣＣ＃１（セル＃１-Ａ）及びキャリア＃３（セル＃２-Ｃ）のイベントＡ３に関するＭｅａｓｕｒｅｍｅｎｔ  Ｒｅｐｏｒｔと、ＣＣ＃２（セル＃１-Ｂ）及びキャリア＃３（セル＃２-Ｃ）のイベントＡ３に関するＭｅａｓｕｒｅｍｅｎｔ  Ｒｅｐｏｒｔとが、移動局ＵＥから無線基地局ｅＮＢに送信される。すなわち、上述したケースにおいては、２つのＭｅａｓｕｒｅｍｅｎｔ  Ｒｅｐｏｒｔが、移動局ＵＥから無線基地局ｅＮＢに送信される。
【００４２】
一方、図１２の場合、最も無線品質が良いＣＣ＃２（セル＃１-Ｂ）が、Ｍｅａｓｕｒｅｍｅｎｔ  Ｒｅｆｅｒｅｎｃｅ  ＣＣに設定され、かかるＣＣ＃２（セル＃１-Ｂ）及びキャリア＃３（セル＃２-Ｃ）のイベントＡ３に関するＭｅａｓｕｒｅｍｅｎｔ  Ｒｅｐｏｒｔが、移動局ＵＥから無線基地局ｅＮＢに送信される。この場合、Ｍｅａｓｕｒｅｍｅｎｔ  Ｒｅｐｏｒｔの数は１つでよいため、図１１の例に比べて、Ｍｅａｓｕｒｅｍｅｎｔ  Ｒｅｐｏｒｔの数が低減される。
【先行技術文献】
【非特許文献】
【００４３】
【非特許文献１】３ＧＰＰ  ＴＳ３６.９１３  Ｖ８.０.１
【非特許文献２】３ＧＰＰ  ＴＳ３６.３００  Ｖ８.５.０
【非特許文献３】３ＧＰＰ  ＴＳ３６.２１４  Ｖ８.３.０
【非特許文献４】３ＧＰＰ寄書Ｒ２-１００１２２
【発明の概要】
【発明が解決しようとする課題】
【００４４】
上述したように、キャリアアグリゲーションを行う場合には、移動局ＵＥにおいて、各ＣＣに関して、上述したサービングセル及び隣接セルからの信号の無線品質の測定や、イベントの判定や、Ｍｅａｓｕｒｅｍｅｎｔ  Ｒｅｐｏｒｔの送信が行われる。
【００４５】
そして、移動局ＵＥにおいて、各ＣＣに関して、かかるイベントの判定を行った場合に、Ｍｅａｓｕｒｅｍｅｎｔ  Ｒｅｐｏｒｔの数が増えることを避けるために、Ｍｅａｓｕｒｅｍｅｎｔ  Ｒｅｆｅｒｅｎｃｅ  ＣＣを用いることが提案されている。
【００４６】
しかしながら、かかるＭｅａｓｕｒｅｍｅｎｔ  Ｒｅｆｅｒｅｎｃｅ  ＣＣを用いたイベントの判定においては、各ＣＣに関する無線品質が変動したことにより、Ｍｅａｓｕｒｅｍｅｎｔ  Ｒｅｆｅｒｅｎｃｅ  ＣＣが変更される場合に、どのようにイベントを判定するべきかについて規定されていないという問題点があった。
【００４７】
かかる問題に関して、図１３及び図１４を用いて、さらに説明する。図１３及び図１４は、図１１及び図１２で示したハンドオーバにおいて、各セルの無線品質の時間的な変動を示した図である。
【００４８】
図１３の例では、セル＃１-Ｂ及びセル＃１-Ａの無線品質の大小関係が変わらないため、Ｍｅａｓｕｒｅｍｅｎｔ  Ｒｅｆｅｒｅｎｃｅ  ＣＣは変動しない、すなわち、図１３の例では、常に、セル＃１-ＢがＭｅａｓｕｒｅｍｅｎｔ  Ｒｅｆｅｒｅｎｃｅ  ＣＣのセルとなる。
【００４９】
よって、図１３の例では、時刻Ｔ１において、Ｍｅａｓｕｒｅｍｅｎｔ  Ｒｅｆｅｒｅｎｃｅ  ＣＣのセルであるセル＃１-Ｂに対して、イベントＡ３のタイマであるＴｉｍｅ-Ｔｏ-Ｔｒｉｇｇｅｒ（ＴＴＴ）が起動され、時刻Ｔ２において、ＴＴＴが満了する。
【００５０】
一方、図１４の例では、セル＃１-Ｂとセル＃１-Ａの無線品質の大小関係が時刻Ｔ２で変わる。すなわち、最も無線品質の良いセルであるＭｅａｓｕｒｅｍｅｎｔ  Ｒｅｆｅｒｅｎｃｅ  ＣＣは、時刻Ｔ２において、ＣＣ＃２からＣＣ＃１に変更される。
【００５１】
一方、図１３の例と同様に、時刻Ｔ１では、Ｍｅａｓｕｒｅｍｅｎｔ  Ｒｅｆｅｒｅｎｃｅ  ＣＣであるセル＃１-Ｂ及びセル＃２-Ｃに関するイベントＡ３のＴＴＴが起動されている。
【００５２】
しかしながら、既存のＬＴＥ-Ａｄｖａｎｃｅｄ方式では、時刻Ｔ２以降の動作が規定されていない。
【００５３】
そこで、本発明は、上述の課題に鑑みてなされたものであり、キャリアアグリゲーション時に、適切にイベントを判定しつつ、Ｍｅａｓｕｒｅｍｅｎｔ  Ｒｅｐｏｒｔの数を低減することにより、システムの効率化及び接続性の安定性を実現することができる移動局及び通信制御方法を提供することを目的とする。
【課題を解決するための手段】
【００５４】
本発明の第１の特徴は、２つ以上のキャリアを用いて無線基地局と通信を行うことができる移動局であって、前記２つ以上のキャリア内の各キャリアに関して、通信中セル又は隣接セルの無線品質を測定するように構成されている測定部と、前記２つ以上のキャリアから、選択条件を満たすキャリアを、測定用参照キャリアとして選択するように構成されている参照キャリア選択部と、前記測定用参照キャリアにおける前記通信中セル又は隣接セルの無線品質が、所定タイマが起動されている間、所定条件を満たしている場合に、前記測定部における測定結果を前記無線基地局に通知するべきであると判定するように構成されている判定部と、前記判定部が、前記測定結果を前記無線基地局に通知するべきであると判定した場合に、該測定結果を前記無線基地局に送信するように構成されている送信部とを具備し、前記判定部は、前記所定タイマが起動されている間に、前記選択条件を満たすキャリアが変更になった場合であっても、前記測定用参照キャリアを変更しないように構成されていることを要旨とする。
【００５５】
本発明の第２の特徴は、２つ以上のキャリアを用いて無線基地局と通信を行うことができる移動局であって、前記２つ以上のキャリア内の各キャリアに関して、通信中セル又は隣接セルの無線品質を測定するように構成されている測定部と、前記２つ以上のキャリアから、選択条件を満たすキャリアを、測定用参照キャリアとして選択するように構成されている参照キャリア選択部と、前記測定用参照キャリアにおける前記通信中セル又は隣接セルの無線品質が、所定タイマが起動されている間、所定条件を満たしている場合に、前記測定部における測定結果を前記無線基地局に通知するべきであると判定するように構成されている判定部と、前記判定部が、前記測定結果を前記無線基地局に通知するべきであると判定した場合に、該測定結果を前記無線基地局に送信するように構成されている送信部とを具備し、前記判定部は、前記所定タイマが起動されている間に、前記選択条件を満たすキャリアが変更になった場合に、前記測定用参照キャリアを変更し、かつ、該所定タイマの起動を継続するように構成されていることを要旨とする。
【００５６】
本発明の第３の特徴は、２つ以上のキャリアを用いて無線基地局と通信を行うことができる移動局であって、前記２つ以上のキャリア内の各キャリアに関して、通信中セル又は隣接セルの無線品質を測定するように構成されている測定部と、前記２つ以上のキャリアから、選択条件を満たすキャリアを、測定用参照キャリアとして選択するように構成されている参照キャリア選択部と、前記測定用参照キャリアにおける前記通信中セル又は隣接セルの無線品質が、所定タイマが起動されている間、所定条件を満たしている場合に、前記測定部における測定結果を前記無線基地局に通知するべきであると判定するように構成されている判定部と、前記判定部が、前記測定結果を前記無線基地局に通知するべきであると判定した場合に、該測定結果を前記無線基地局に送信するように構成されている送信部とを具備し、前記判定部は、前記所定タイマが起動されている間に、前記選択条件を満たすキャリアが変更になった場合に、前記測定用参照キャリアを変更し、かつ、該所定タイマリセットするように構成されていることを要旨とする。
【００５７】
本発明の第４の特徴は、２つ以上のキャリアを用いて無線基地局と通信を行うことができる移動局における通信制御方法であって、前記２つ以上のキャリア内の各キャリアに関して、通信中セル又は隣接セルの無線品質を測定する第１ステップと、前記２つ以上のキャリアから、選択条件を満たすキャリアを、測定用参照キャリアとして選択する第２ステップと、前記測定用参照キャリアにおける前記通信中セル又は隣接セルの無線品質が、所定タイマが起動されている間、所定条件を満たしている場合に、前記第１ステップにおける測定結果を前記無線基地局に通知するべきであると判定する第３ステップと、前記第３ステップにおいて、前記測定結果を前記無線基地局に通知するべきであると判定した場合に、該測定結果を前記無線基地局に送信する第４ステップとを有し、前記第３ステップにおいて、前記所定タイマが起動されている間に、前記選択条件を満たすキャリアが変更になった場合に、前記測定用参照キャリアを変更し、かつ、該所定タイマの起動を継続することを要旨とする。
【発明の効果】
【００５８】
以上説明したように、本発明によれば、キャリアアグリゲーション時に、適切にイベントを判定しつつ、Ｍｅａｓｕｒｅｍｅｎｔ  Ｒｅｐｏｒｔの数を低減することにより、システムの効率化及び接続性の安定性を実現することができる移動局及び通信制御方法を提供することができる。
【図面の簡単な説明】
【００５９】
【図１】本発明の第１の実施形態に係る移動局の機能ブロック図である。
【図２】本発明の第１の実施形態に係る移動局の動作を説明するための図である。
【図３】本発明の第１の実施形態に係る移動局の動作を説明するためのフローチャートである。
【図４】本発明の第２の実施形態に係る移動局の動作を説明するための図である。
【図５】本発明の第２の実施形態に係る移動局の動作を説明するための図である。
【図６】本発明の第２の実施形態に係る移動局の動作を説明するためのフローチャートである。
【図７】本発明の第３の実施形態に係る移動局の動作を説明するための図である。
【図８】本発明の第３の実施形態に係る移動局の動作を説明するためのフローチャートである。
【図９】従来の移動通信システムの動作を説明するためのフローチャートである。
【図１０】従来の移動通信システムの動作を説明するための図である。
【図１１】従来の移動通信システムの動作を説明するための図である。
【図１２】従来の移動通信システムの動作を説明するための図である。
【図１３】従来の移動通信システムの動作を説明するための図である。
【図１４】従来の移動通信システムの動作を説明するための図である。
【発明を実施するための形態】
【００６０】
（本発明の第１の実施形態に係る移動通信システム）
図１乃至図３を参照して、本発明の第１の実施形態に係る移動通信システムの構成について説明する。本実施形態に係る移動通信システムは、ＬＴＥ-Ａｄｖｅｎｃｅｄ方式の移動通信システムである。
【００６１】
本実施形態に係る移動局ＵＥは、２つ以上のＣＣを用いて無線基地局ｅＮＢと通信を行うことができるように構成されている、すなわち、キャリアアグリゲーションを行うことができるように構成されている。
【００６２】
図１に示すように、移動局ＵＥは、測定部１０２と、Ｍｅａｓｕｒｅｍｅｎｔ  Ｒｅｆｅｒｅｎｃｅ  ＣＣ選択部１０４と、判定部１０６と、Ｍｅａｓｕｒｅｍｅｎｔ  Ｒｅｐｏｒｔ送信部１０８と、Ｍｅａｓｕｒｅｍｅｎｔ制御信号受信部１１０とを具備している。
【００６３】
Ｍｅａｓｕｒｅｍｅｎｔ制御信号受信部１１０は、無線基地局ｅＮＢによって送信されたＭｅａｓｕｒｅｍｅｎｔ  Ｃｏｎｔｒｏｌ（Ｍｅａｓｕｒｅｍｅｎｔ制御信号）を受信するように構成されている。
【００６４】
ここで、Ｍｅａｓｕｒｅｍｅｎｔ  Ｃｏｎｔｒｏｌは、移動局ＵＥに対して、無線品質の測定対象のセルに関する情報（Ｍｅａｓｕｒｅｍｅｎｔ  Ｏｂｊｅｃｔ）や、測定結果を含むＭｅａｓｕｒｅｍｅｎｔ  Ｒｅｐｏｒｔの送信方法（Ｒｅｐｏｒｔｉｎｇ  Ｃｏｎｆｉｇｕｒａｔｉｏｎ）に関する情報等を通知するための制御信号である。
【００６５】
なお、Ｍｅａｓｕｒｅｍｅｎｔ  Ｃｏｎｔｒｏｌは、Ｍｅａｓｕｒｅｍｅｎｔ  Ｃｏｎｆｉｇｕｒａｔｉｏｎ、或いは、ＭｅａｓＣｏｎｆｉｇと呼ばれてもよい。
【００６６】
測定部１０２は、上述のＭｅａｓｕｒｅｍｅｎｔ  Ｃｏｎｔｒｏｌに従って、通信中セル（サービングセル）又は隣接セルの無線品質を測定するように構成されている。
【００６７】
ここで、キャリアアグリゲーションが行われている場合には、測定部１０２は、２つ以上のＣＣ内の各ＣＣに関して、通信中セル又は隣接セルの無線品質を測定するように構成されている。
【００６８】
Ｍｅａｓｕｒｅｍｅｎｔ  Ｒｅｆｅｒｅｎｃｅ  ＣＣ選択部１０４は、２つ以上のＣＣから、選択条件を満たすＣＣを、Ｍｅａｓｕｒｅｍｅｎｔ  Ｒｅｆｅｒｅｎｃｅ  ＣＣとして選択するように構成されている。
【００６９】
例えば、Ｍｅａｓｕｒｅｍｅｎｔ  Ｒｅｆｅｒｅｎｃｅ  ＣＣ選択部１０４は、選択条件を満たすＣＣとして、最も無線品質の良いＣＣを選択するように構成されていてもよい。
【００７０】
或いは、Ｍｅａｓｕｒｅｍｅｎｔ  Ｒｅｆｅｒｅｎｃｅ  ＣＣ選択部１０４は、選択条件を満たすＣＣとして、最も無線品質の悪いＣＣを選択するように構成されていてもよい。なお、以下の説明においては、例として、選択条件を満たすＣＣとして最も無線品質の良いＣＣが選択される場合に関して説明を行う。
【００７１】
判定部１０６は、通信中セル又は隣接セルの無線品質が、所定タイマが起動されている間、所定条件を満たしている場合に、測定部１０２における測定結果を無線基地局ｅＮＢに通知するべきであると判定するように構成されている。
【００７２】
ここで、判定部１０６は、通信中セルの無線品質として、上述のＭｅａｓｕｒｅｍｅｎｔ  Ｒｅｆｅｒｅｎｃｅ  ＣＣにおける通信中セルの無線品質を用いてもよい。
【００７３】
以下では、より具体的な例として、キャリアアグリゲーションを行っているコンポーネントキャリアが３つ存在する場合を考える。
【００７４】
ここで、かかる３つのコンポーネントキャリアは、それぞれ、コンポーネントキャリア＃１、コンポーネントキャリア＃２、コンポーネントキャリア＃３と呼ばれると仮定する。また、それぞれのコンポーネントキャリアにおいて通信中であるセルは、それぞれ、セル＃１、セル＃２、セル＃３と呼ばれると仮定する。
【００７５】
この場合、Ｍｅａｓｕｒｅｍｅｎｔ  Ｒｅｆｅｒｅｎｃｅ  ＣＣ選択部１０４は、上述したように、コンポーネントキャリア＃１、コンポーネントキャリア＃２、コンポーネントキャリア＃３の中からＭｅａｓｕｒｅｍｅｎｔ  Ｒｅｆｅｒｅｎｃｅ  ＣＣを選択し、判定部１０６は、かかるＭｅａｓｕｒｅｍｅｎｔ  Ｒｅｆｅｒｅｎｃｅ  ＣＣにおけるセルの無線品質を、上述の通信中セルの無線品質として用いる。
【００７６】
すなわち、Ｍｅａｓｕｒｅｍｅｎｔ  Ｒｅｆｅｒｅｎｃｅ  ＣＣとして、コンポーネントキャリア＃２が選択されている場合、判定部１０６は、セル＃２の無線品質と隣接セルの無線品質とが、所定タイマが起動されている間、所定条件を満たしている場合に、測定部１０２における測定結果を無線基地局ｅＮＢに通知するべきであると判定してもよい。
【００７７】
なお、上述した例においては、判定部１０６は、通信中セルの無線品質として、上述のＭｅａｓｕｒｅｍｅｎｔ  Ｒｅｆｅｒｅｎｃｅ  ＣＣにおけるセルの無線品質を用いる場合を示したが、代わりに、隣接セルの無線品質として、上述のＭｅａｓｕｒｅｍｅｎｔ  Ｒｅｆｅｒｅｎｃｅ  ＣＣにおける隣接セルの無線品質を用いてもよい。
【００７８】
すなわち、Ｍｅａｓｕｒｅｍｅｎｔ  Ｒｅｆｅｒｅｎｃｅ  ＣＣとして選択される候補となる複数のキャリアが予め指定され、判定部１０６は、かかる複数のキャリアの中からＭｅａｓｕｒｅｍｅｎｔｅ  Ｒｅｆｅｒｅｎｃｅ  ＣＣを選択してもよい。
【００７９】
ここで、かかるＭｅａｓｕｒｅｍｅｎｔ  Ｒｅｆｅｒｅｎｃｅ  ＣＣとして選択される候補となる複数のキャリアは、キャリアアグリゲーションが行われるコンポーネントキャリアであってもよいし、或いは、キャリアアグリゲーションが行われるコンポーネントキャリアでなくてもよい。或いは、かかるＭｅａｓｕｒｅｍｅｎｔ  Ｒｅｆｅｒｅｎｃｅ  ＣＣとして選択される候補となる複数のキャリアの一部が、キャリアアグリゲーションが行われるコンポーネントキャリアであってもよい。
【００８０】
以下に、上述した判定部１０６が測定部１０２における測定結果を無線基地局ｅＮＢに通知するべきであると判定する動作の例を示す。以下の動作において、通信中セルの無線品質として、上述のＭｅａｓｕｒｅｍｅｎｔ  Ｒｅｆｅｒｅｎｃｅ  ＣＣにおける通信中セルの無線品質が用いられてもよい。また、以下の動作において、隣接セルの無線品質として、上述のＭｅａｓｕｒｅｍｅｎｔ  Ｒｅｆｅｒｅｎｃｅ  ＣＣにおける隣接セルの無線品質が用いられてもよい。
【００８１】
例えば、判定部１０６は、隣接セルの無線品質が通信中セルの無線品質よりも所定オフセット分だけ良くなった場合、すなわち、上述の（式１）又は（式２）が満たされていると判定された場合、通信中セル又は隣接セルの無線品質が所定条件（イベントＡ３）を満たすと判定するように構成されていてもよい。
【００８２】
また、判定部１０６は、通信中セルの無線品質が第１閾値よりも良くなった場合、すなわち、上述の（式３）が満たされていると判定された場合、通信中セル又は隣接セルの無線品質が所定条件（イベントＡ１）を満たすと判定するように構成されていてもよい。
【００８３】
また、判定部１０６は、通信中セルの無線品質が第２閾値よりも悪くなった場合、すなわち、上述の（式４）が満たされていると判定された場合、通信中セル又は隣接セルの無線品質が所定条件（イベントＡ２）を満たすと判定するように構成されていてもよい。
【００８４】
また、判定部１０６は、隣接セルの無線品質が第３閾値よりも良くなった場合、すなわち、上述の（式５）が満たされていると判定された場合、通信中セル又は隣接セルの無線品質が所定条件（イベントＡ４）を満たすと判定するように構成されていてもよい。
【００８５】
また、判定部１０６は、通信中セルの無線品質が第４閾値よりも悪くなり、かつ、隣接セルの無線品質が第５閾値よりも良くなった場合、上述の（式６）が満たされていると判定された場合、通信中セル又は隣接セルの無線品質が所定条件（イベントＡ５）を満たすと判定するように構成されていてもよい。
【００８６】
或いは、判定部１０６は、上述の測定結果が周期的に送信される際の送信タイミングである場合に、通信中セル又は隣接セルの無線品質が所定条件を満たすと判定するように構成されていてもよい。
【００８７】
なお、所定タイマは、Ｔｉｍｅ-Ｔｏ-Ｔｒｉｇｇｅｒ（ＴＴＴ）であってもよいし、他のタイプのタイマであってもよい。ここで、ＴＴＴは、通信中セル又は隣接セルの無線品質が、所定条件を満たした場合に起動され、通信中セル又は隣接セルの無線品質が、所定条件を満たされなくなった場合に停止されるように構成されている。
【００８８】
Ｍｅａｓｕｒｅｍｅｎｔ  Ｒｅｐｏｒｔ送信部１０８は、判定部１０６が、測定結果を無線基地局ｅＮＢに通知するべきであると判定した場合に、上述のＭｅａｓｕｒｅｍｅｎｔ  Ｃｏｎｔｒｏｌに従って、無線基地局ｅＮＢに対して、測定部１０２による測定結果を含むＭｅａｓｕｒｅｍｅｎｔ  Ｒｅｐｏｒｔを送信するように構成されている。
【００８９】
ここで、本実施形態では、判定部１０６は、所定タイマ（ＴＴＴ）が起動されている間に、選択条件を満たすＣＣが変更になった場合であっても、Ｍｅａｓｕｒｅｍｅｎｔ  Ｒｅｆｅｒｅｎｃｅ  ＣＣを変更しないように構成されている。
【００９０】
図２を用いて、かかる判定部１０６における動作を説明する。図２において、キャリアアグリゲーションを行っているコンポーネントキャリアにおけるセルとして、セル＃１−Ａ及びセル＃１-Ｂが存在し、隣接セルとして、セル＃２-Ｃが存在する。
【００９１】
ここで、判定部１０６は、時刻Ｔ１において、Ｍｅａｓｕｒｅｍｅｎｔ  Ｒｅｆｅｒｅｎｃｅ  ＣＣであるセル＃１-Ｂと隣接セル＃２-Ｃに関して、イベントＡ３のＴＴＴを起動した後、かかるＴＴＴが起動中である時刻Ｔ２において、セル＃１-Ａの無線品質がセル＃１-Ｂの無線品質よりも高くなった場合であっても、Ｍｅａｓｕｒｅｍｅｎｔ  Ｒｅｆｅｒｅｎｃｅ  ＣＣを変更することなく、ＴＴＴの起動を継続するように構成されている。
【００９２】
この場合、判定部１０６における、ＴＴＴが起動されている間のイベントＡ３の判定条件を満たしているか否かの判定は、かかる変更されないＭｅａｓｕｒｅｍｅｎｔ  Ｒｅｆｅｒｅｎｃｅ  ＣＣ、すなわち、セル＃１-Ｂの無線品質とセル＃２-Ｃの無線品質とに基づいて行われる。
【００９３】
そして、かかるＴＴＴの満了後に、Ｍｅａｓｕｒｅｍｅｎｔ  Ｒｅｐｏｒｔ送信部１０８は、無線基地局ｅＮＢに対して、Ｍｅａｓｕｒｅｍｅｎｔ  Ｒｅｐｏｒｔを送信するように構成されている。
【００９４】
以下、図３を参照して、本実施形態に係る移動局ＵＥの動作、すなわち、通信制御方法について説明する。
【００９５】
図３に示すように、ステップＳ１０１において、測定部１０２は、上述のように、通信中セル又は隣接セルの無線品質を測定し、ステップＳ１０２において、Ｍｅａｓｕｒｅｍｅｎｔ  Ｒｅｆｅｒｅｎｃｅ  ＣＣ選択部１０４は、上述のように、Ｍｅａｓｕｒｅｍｅｎｔ  Ｒｅｆｅｒｅｎｃｅ  ＣＣを選択する。
【００９６】
ステップＳ１０３において、判定部１０６は、通信中セル又は隣接セルの無線品質の測定結果に基づいて、Ｍｅａｓｕｒｅｍｅｎｔ  Ｒｅｆｅｒｅｎｃｅ  ＣＣを変更すべきであるか否かについて判定する。
【００９７】
Ｍｅａｓｕｒｅｍｅｎｔ  Ｒｅｆｅｒｅｎｃｅ  ＣＣを変更すべきではないと判定された場合、本動作は、終了し、Ｍｅａｓｕｒｅｍｅｎｔ  Ｒｅｆｅｒｅｎｃｅ  ＣＣを変更すべきであると判定された場合、本動作は、ステップＳ１０４に進む。
【００９８】
ステップＳ１０４において、判定部１０６は、ＴＴＴが起動中であるか否かについて判定する。ＴＴＴが起動中でないと判定された場合、本動作は、ステップＳ１０６に進み、ＴＴＴが起動中であると判定された場合、本動作は、ステップＳ１０５に進む。
【００９９】
ステップＳ１０５において、判定部１０６は、ＴＴＴの起動を継続し、Ｍｅａｓｕｒｅｍｅｎｔ  Ｒｅｆｅｒｅｎｃｅ  ＣＣを変更しない。
【０１００】
ステップＳ１０６において、判定部１０６は、Ｍｅａｓｕｒｅｍｅｎｔ  Ｒｅｆｅｒｅｎｃｅ  ＣＣを変更する。
【０１０１】
本実施形態に係る移動通信システムによれば、移動局ＵＥが、ＴＴＴが起動されている間に、選択条件を満たすＣＣが変更になった場合であっても、Ｍｅａｓｕｒｅｍｅｎｔ  Ｒｅｆｅｒｅｎｃｅ  ＣＣを変更しないように構成されることによって、Ｍｅａｓｕｒｅｍｅｎｔ  Ｒｅｆｅｒｅｎｃｅ  ＣＣの変更に伴うイベントの判定のリセットを回避することが可能となり、キャリアアグリゲーション時に、適切にイベントを判定しつつ、Ｍｅａｓｕｒｅｍｅｎｔ  Ｒｅｐｏｒｔの数を低減することができる。
【０１０２】
（本発明の第２の実施形態に係る移動通信システム）
図４乃至図６を参照して、本発明の第２の実施形態に係る移動通信システムの構成について説明する。以下、本実施形態に係る移動通信システムについて、上述の第１の実施形態に係る移動通信システムとの相違点に着目して説明する。
【０１０３】
本実施形態では、判定部１０６は、所定タイマ（例えば、ＴＴＴ）が起動されている間に、選択条件を満たすＣＣが変更になった場合に、Ｍｅａｓｕｒｅｍｅｎｔ  Ｒｅｆｅｒｅｎｃｅ  ＣＣを変更し、かつ、所定タイマの起動を継続するように構成されている。
【０１０４】
図４及び図５を用いて、かかる判定部１０６における動作を説明する。図４及び図５において、キャリアアグリゲーションを行っているコンポーネントキャリアにおけるセルとして、セル＃１-Ａ及びセル＃１-Ｂが存在し、隣接セルとして、セル＃２−Ｃが存在する。
【０１０５】
ここで、判定部１０６は、時刻Ｔ１において、Ｍｅａｓｕｒｅｍｅｎｔ  Ｒｅｆｅｒｅｎｃｅ  ＣＣであるセル＃１-Ｂと隣接セル＃２−Ｃに関して、イベントＡ３のＴＴＴを起動した後、かかるＴＴＴが起動中である時刻Ｔ２において、セル＃１-Ａの無線品質がセル＃１-Ｂの無線品質よりも高くなった場合、Ｍｅａｓｕｒｅｍｅｎｔ  Ｒｅｆｅｒｅｎｃｅ  ＣＣをセル＃１-Ａに変更し、ＴＴＴの起動を継続するように構成されている。
【０１０６】
この場合、判定部１０６におけるＴＴＴが起動されている間のイベントＡ３の判定条件を満たしているか否かの判定は、かかる変更されたＭｅａｓｕｒｅｍｅｎｔ  Ｒｅｆｅｒｅｎｃｅ  ＣＣ、すなわち、セル＃１-Ａの無線品質とセル＃２-Ｃの無線品質とに基づいて行われる。
【０１０７】
その後、図４の例では、時刻Ｔ３において、通信中セル（セル＃１-Ａ）又は隣接セルの無線品質が所定条件（イベントＡ３）を満たさなくなるため、判定部１０６は、ＴＴＴを停止している。
【０１０８】
一方、図５の例では、かかるＴＴＴの満了後、すなわち、時刻Ｔ４において、Ｍｅａｓｕｒｅｍｅｎｔ  Ｒｅｐｏｒｔ送信部１０８は、無線基地局ｅＮＢに対して、Ｍｅａｓｕｒｅｍｅｎｔ  Ｒｅｐｏｒｔを送信するように構成されている。
【０１０９】
以下、図６を参照して、本実施形態に係る移動局ＵＥの動作、すなわち、通信制御方法について説明する。なお、図６に示すように、ステップＳ２０１乃至Ｓ２０４、及びＳ２０６の動作は、図３に示すステップＳ１０１乃至Ｓ１０４、及びＳ１０６の動作と同一である。
【０１１０】
ステップＳ２０５において、判定部１０６は、Ｍｅａｓｕｒｅｍｅｎｔ  Ｒｅｆｅｒｅｎｃｅ  ＣＣを変更し、ＴＴＴの起動を継続する。
【０１１１】
本実施形態に係る移動通信システムによれば、移動局ＵＥが、ＴＴＴが起動されている間に、選択条件を満たすＣＣが変更になった場合、Ｍｅａｓｕｒｅｍｅｎｔ  Ｒｅｆｅｒｅｎｃｅ  ＣＣを変更しつつ、ＴＴＴの起動を継続するように構成されることによって、Ｍｅａｓｕｒｅｍｅｎｔ  Ｒｅｆｅｒｅｎｃｅ  ＣＣの変更に伴う、イベントの判定のリセットを回避することが可能となり、キャリアアグリゲーション時に、適切にイベントを判定しつつ、Ｍｅａｓｕｒｅｍｅｎｔ  Ｒｅｐｏｒｔの数を低減することができる。
【０１１２】
（本発明の第３の実施形態に係る移動通信システム）
図７及び図８を参照して、本発明の第３の実施形態に係る移動通信システムの構成について説明する。以下、本実施形態に係る移動通信システムについて、上述の第１の実施形態に係る移動通信システムとの相違点に着目して説明する。
【０１１３】
本実施形態では、判定部１０６は、所定タイマ（例えば、ＴＴＴ）が起動されている間に、選択条件を満たすＣＣが変更になった場合に、Ｍｅａｓｕｒｅｍｅｎｔ  Ｒｅｆｅｒｅｎｃｅ  ＣＣを変更し、かつ、所定タイマをリセットするように構成されている。
【０１１４】
図７を用いて、かかる判定部１０６における動作を説明する。図７において、キャリアアグリゲーションを行っているコンポーネントキャリアにおけるセルとして、セル＃１-Ａ及びセル＃１-Ｂが存在し、隣接セルとして、セル＃２-Ｃが存在する。
【０１１５】
ここで、判定部１０６は、時刻Ｔ１において、Ｍｅａｓｕｒｅｍｅｎｔ  Ｒｅｆｅｒｅｎｃｅ  ＣＣであるセル＃１-Ｂと隣接セル＃２-Ｃに関して、イベントＡ３のＴＴＴを起動した後、かかるＴＴＴが起動中である時刻Ｔ２において、セル＃１-Ａの無線品質がセル＃１-Ｂの無線品質よりも高くなった場合、Ｍｅａｓｕｒｅｍｅｎｔ  Ｒｅｆｅｒｅｎｃｅ  ＣＣをセル＃１-Ａに変更し、ＴＴＴをリセットするように構成されている。
【０１１６】
この場合、判定部１０６におけるＴＴＴが起動されている間のイベントＡ３の判定条件を満たしているか否かの判定は、一旦リセットされ、その後、かかる変更されたＭｅａｓｕｒｅｍｅｎｔ  Ｒｅｆｅｒｅｎｃｅ  ＣＣ、すなわち、セル＃１-Ａの無線品質とセル＃２-Ｃの無線品質とに基づいて、イベントＡ３の判定が改めて行われる。
【０１１７】
すなわち、判定部１０６は、時刻Ｔ２において、Ｍｅａｓｕｒｅｍｅｎｔ  Ｒｅｆｅｒｅｎｃｅ  ＣＣであるセル＃１-Ａと隣接セル＃２-Ｃに関して、イベントＡ３のＴＴＴを起動する。
【０１１８】
その後、時刻Ｔ２でリセットされたＴＴＴの満了後に、すなわち、時刻Ｔ５において、Ｍｅａｓｕｒｅｍｅｎｔ  Ｒｅｐｏｒｔ送信部１０８は、無線基地局ｅＮＢに対して、Ｍｅａｓｕｒｅｍｅｎｔ  Ｒｅｐｏｒｔを送信するように構成されている。
【０１１９】
以下、図８を参照して、本実施形態に係る移動局ＵＥの動作、すなわち、通信制御方法について説明する。なお、図８に示すように、ステップＳ３０１乃至Ｓ３０４、及びＳ３０６の動作は、図３に示すステップＳ１０１乃至Ｓ１０４、及びＳ１０６の動作と同一である。
【０１２０】
ステップＳ３０５において、判定部１０６は、Ｍｅａｓｕｒｅｍｅｎｔ  Ｒｅｆｅｒｅｎｃｅ  ＣＣを変更し、ＴＴＴをリセットする。
【０１２１】
本実施形態に係る移動通信システムによれば、移動局ＵＥが、ＴＴＴが起動されている間に、選択条件を満たすＣＣが変更になった場合、Ｍｅａｓｕｒｅｍｅｎｔ  Ｒｅｆｅｒｅｎｃｅ  ＣＣを変更しつつ、ＴＴＴをリセットするように構成されることによって、ある特定のＭｅａｓｕｒｅｍｅｎｔ  Ｒｅｆｅｒｅｎｃｅ  ＣＣに関してイベントの判定を行うことが可能となり、結果として、Ｍｅａｓｕｒｅｍｅｎｔ  Ｒｅｆｅｒｅｎｃｅ  ＣＣの変更によるイベントの判定の誤り、あるいは、不確かさを防ぐことが可能となる。その結果として、キャリアアグリゲーション時に、適切にイベントを判定しつつ、Ｍｅａｓｕｒｅｍｅｎｔ  Ｒｅｐｏｒｔの数を低減することができる。
【０１２２】
以上に述べた実施形態の特徴は、以下のように表現されていてもよい。
【０１２３】
本実施形態の第１の特徴は、２つ以上のＣＣ（キャリア）を用いて無線基地局ｅＮＢと通信を行うことができる移動局ＵＥであって、２つ以上のＣＣ内の各ＣＣに関して、通信中セル又は隣接セルの無線品質を測定するように構成されている測定部１０２と、２つ以上のＣＣから、選択条件を満たすＣＣを、Ｍｅａｓｕｒｅｍｅｎｔ  Ｒｅｆｅｒｅｎｃｅ  ＣＣ（測定用参照キャリア）として選択するように構成されているＭｅａｓｕｒｅｍｅｎｔ  Ｒｅｆｅｒｅｎｃｅ  ＣＣ選択部（参照キャリア選択部）１０４と、Ｍｅａｓｕｒｅｍｅｎｔ  Ｒｅｆｅｒｅｎｃｅ  ＣＣに関して、通信中セル又は隣接セルの無線品質が、所定タイマが起動されている間、所定条件を満たしている場合に、測定部１０２における測定結果を無線基地局ｅＮＢに通知するべきであると判定するように構成されている判定部１０６と、判定部１０６が、測定結果を無線基地局ｅＮＢに通知するべきであると判定した場合に、測定結果を無線基地局ｅＮＢに送信するように構成されているＭｅａｓｕｒｅｍｅｎｔ  Ｒｅｐｏｒｔ送信部（送信部）１０８とを具備し、判定部１０６は、所定タイマが起動されている間に、選択条件を満たすＣＣが変更になった場合であっても、Ｍｅａｓｕｒｅｍｅｎｔ  Ｒｅｆｅｒｅｎｃｅ  ＣＣを変更しないように構成されていることを要旨とする。
【０１２４】
本実施形態の第２の特徴は、２つ以上のＣＣを用いて無線基地局ｅＮＢと通信を行うことができる移動局ＵＥであって、２つ以上のＣＣ内の各ＣＣに関して、通信中セル又は隣接セルの無線品質を測定するように構成されている測定部１０２と、２つ以上のＣＣから、選択条件を満たすＣＣを、Ｍｅａｓｕｒｅｍｅｎｔ  Ｒｅｆｅｒｅｎｃｅ  ＣＣとして選択するように構成されているＭｅａｓｕｒｅｍｅｎｔ  Ｒｅｆｅｒｅｎｃｅ  ＣＣ選択部１０４と、Ｍｅａｓｕｒｅｍｅｎｔ  Ｒｅｆｅｒｅｎｃｅ  ＣＣに関して、通信中セル又は隣接セルの無線品質が、所定タイマが起動されている間、所定条件を満たしている場合に、測定部１０２における測定結果を無線基地局ｅＮＢに通知するべきであると判定するように構成されている判定部１０６と、判定部１０６が、測定結果を無線基地局ｅＮＢに通知するべきであると判定した場合に、測定結果を無線基地局ｅＮＢに送信するように構成されているＭｅａｓｕｒｅｍｅｎｔ  Ｒｅｐｏｒｔ送信部１０８とを具備し、判定部１０６は、所定タイマが起動されている間に、選択条件を満たすＣＣが変更になった場合に、Ｍｅａｓｕｒｅｍｅｎｔ  Ｒｅｆｅｒｅｎｃｅ  ＣＣを変更し、かつ、所定タイマの起動を継続するように構成されていることを要旨とする。
【０１２５】
本実施形態の第３の特徴は、２つ以上のＣＣを用いて無線基地局ｅＮＢと通信を行うことができる移動局ＵＥであって、２つ以上のＣＣ内の各ＣＣに関して、通信中セル又は隣接セルの無線品質を測定するように構成されている測定部１０２と、２つ以上のＣＣから、選択条件を満たすＣＣを、Ｍｅａｓｕｒｅｍｅｎｔ  Ｒｅｆｅｒｅｎｃｅ  ＣＣとして選択するように構成されているＭｅａｓｕｒｅｍｅｎｔ  Ｒｅｆｅｒｅｎｃｅ  ＣＣ選択部１０４と、Ｍｅａｓｕｒｅｍｅｎｔ  Ｒｅｆｅｒｅｎｃｅ  ＣＣに関して、通信中セル又は隣接セルの無線品質が、所定タイマが起動されている間、所定条件を満たしている場合に、測定部１０２における測定結果を無線基地局ｅＮＢに通知するべきであると判定するように構成されている判定部１０６と、判定部１０６が、測定結果を無線基地局ｅＮＢに通知するべきであると判定した場合に、測定結果を無線基地局ｅＮＢに送信するように構成されているＭｅａｓｕｒｅｍｅｎｔ  Ｒｅｐｏｒｔ送信部１０８とを具備し、判定部１０６は、所定タイマが起動されている間に、選択条件を満たすＣＣが変更になった場合に、Ｍｅａｓｕｒｅｍｅｎｔ  Ｒｅｆｅｒｅｎｃｅ  ＣＣを変更し、かつ、所定タイマリセットするように構成されていることを要旨とする。
【０１２６】
本実施形態の第１乃至第３の特徴において、Ｍｅａｓｕｒｅｍｅｎｔ  Ｒｅｆｅｒｅｎｃｅ  ＣＣ選択部１０４は、選択条件を満たすＣＣとして、最も無線品質のよいＣＣを選択するように構成されていてもよい。
【０１２７】
或いは、本実施形態の第１乃至第３の特徴において、Ｍｅａｓｕｒｅｍｅｎｔ  Ｒｅｆｅｒｅｎｃｅ  ＣＣ選択部１０４は、選択条件を満たすＣＣとして、最も無線品質の悪いＣＣを選択するように構成されていてもよい。
【０１２８】
本実施形態の第１乃至第３の特徴において、判定部１０６は、隣接セルの無線品質が通信中セルの無線品質よりも所定オフセット分だけ良くなった場合（イベントＡ３）、通信中セルの無線品質が第１閾値よりも良くなった場合（イベントＡ１）、通信中セルの無線品質が第２閾値よりも悪くなった場合（イベントＡ２）、隣接セルの無線品質が第３閾値よりも良くなった場合（イベントＡ４）、通信中セルの無線品質が第４閾値よりも悪くなり、かつ、隣接セルの無線品質が第５閾値よりも良くなった場合（イベントＡ５）、或いは、測定結果が周期的に送信される際の送信タイミングである場合の少なくとも１つの場合に、通信中セル又は隣接セルの無線品質が所定条件を満たすと判定するように構成されていてもよい。
【０１２９】
本実施形態の第１乃至第３の特徴において、所定タイマは、Ｔｉｍｅ-Ｔｏ-Ｔｒｉｇｇｅｒであってもよい。
【０１３０】
本実施形態の第４の特徴は、２つ以上のＣＣを用いて無線基地局ｅＮＢと通信を行うことができる移動局ＵＥにおける通信制御方法であって、２つ以上のＣＣ内の各ＣＣに関して、通信中セル又は隣接セルの無線品質を測定する第１ステップと、２つ以上のＣＣから、選択条件を満たすＣＣを、Ｍｅａｓｕｒｅｍｅｎｔ  Ｒｅｆｅｒｅｎｃｅ  ＣＣとして選択する第２ステップと、Ｍｅａｓｕｒｅｍｅｎｔ  Ｒｅｆｅｒｅｎｃｅ  ＣＣにおける通信中セル又は隣接セルの無線品質が、所定タイマが起動されている間、所定条件を満たしている場合に、第１ステップにおける測定結果を無線基地局ｅＮＢに通知するべきであると判定する第３ステップと、第３ステップにおいて、かかる測定結果を無線基地局ｅＮＢに通知するべきであると判定した場合に、かかる測定結果を無線基地局ｅＮＢに送信する第４ステップとを有し、第３ステップにおいて、所定タイマが起動されている間に、選択条件を満たすＣＣが変更になった場合に、Ｍｅａｓｕｒｅｍｅｎｔ  Ｒｅｆｅｒｅｎｃｅ  ＣＣを変更し、かつ、所定タイマの起動を継続することを要旨とする。
【０１３１】
なお、上述の移動局ＵＥや無線基地局ＤｅＮＢの動作は、ハードウェアによって実施されてもよいし、プロセッサによって実行されるソフトウェアモジュールによって実施されてもよいし、両者の組み合わせによって実施されてもよい。
【０１３２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＤｅＮＢ内に設けられていてもよい。また、かかる記憶媒体及びプロセッサは、ディスクリートコンポーネントとして移動局ＵＥや無線基地局ＤｅＮＢ内に設けられていてもよい。
【０１３４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１３５】
ＵＥ…移動局
１０２…測定部
１０４…Ｍｅａｓｕｒｅｍｅｎｔ  Ｒｅｆｅｒｅｎｃｅ  ＣＣ選択部
１０６…判定部
１０８…Ｍｅａｓｕｒｅｍｅｎｔ  Ｒｅｐｏｒｔ送信部
１１０…Ｍｅａｓｕｒｅｍｅｎｔ制御信号受信部
【図１】
2011223116.tif 000003
【図２】
2011223116.tif 000004
【図３】
2011223116.tif 000005
【図４】
2011223116.tif 000006
【図５】
2011223116.tif 000007
【図６】
2011223116.tif 000008
【図７】
2011223116.tif 000009
【図８】
2011223116.tif 000010
【図９】
2011223116.tif 000011
【図１０】
2011223116.tif 000012
【図１１】
2011223116.tif 000013
【図１２】
2011223116.tif 000014
【図１３】
2011223116.tif 000015
【図１４】
2011223116.tif 000016